(57)【特許請求の範囲】
【請求項１】
複数のゲートラインを有する液晶表示パネルと、
前記ゲートラインの数と異なる数のゲートチャンネルを有するゲート駆動部と、
前記ゲート駆動部へ少なくとも１つのダミーシフトクロックを含むゲートシフトクロック信号を供給するタイミングコントローラーとを備え、
前記ダミーシフトクロックは、前記ゲートシフトクロック信号の１周期または複数周期ごとに発生され、
前記ダミーシフトクロックの幅は、前記ゲートシフトクロック信号の１つ分の幅より小さく、
前記タイミングコントローラーは、前記ゲートラインへのゲートパルスの供給を停止するようにゲート出力イネーブル信号を前記ゲート駆動部へ供給している間に、前記ダミーシフトクロックを供給する
ことを特徴とする液晶表示装置。
【請求項２】
前記ゲートチャンネルの数は、前記ゲートラインの数より多い
請求項１記載の液晶表示装置。
【請求項３】
前記ダミーシフトクロックの数は、前記ゲートラインの数と前記ゲートチャンネルの数の差分と同じである
請求項１又は２記載の液晶表示装置。
【請求項４】
ゲートラインの数及びゲートチャンネルの数の差分を演算するステップと、
前記差分に基づいて少なくとも１つのダミーシフトクロックを含むゲートシフトクロック信号を生成するステップと、
前記ゲートシフトクロック信号に従って前記ゲートラインへゲートパルスを供給するステップとを含み、
前記ダミーシフトクロックは、前記ゲートシフトクロック信号の１周期または複数周期ごとに発生され、
前記ダミーシフトクロックの幅は、前記ゲートシフトクロック信号の１つ分の幅より小さく、
前記ダミーシフトクロックの供給期間は、前記ゲートラインへの前記ゲートパルスの供給を停止するゲート出力イネーブル信号の供給期間内に含まれる
ことを特徴とする液晶表示装置の駆動方法。
【請求項５】
前記ゲートチャンネルの数は、前記ゲートラインの数より多い
請求項４記載の液晶表示装置の駆動方法。
【請求項６】
前記ダミーシフトクロックの数は、前記差分と同じである
請求項４又は５記載の液晶表示装置の駆動方法。
【発明の詳細な説明】
【技術分野】
【０００１】
本発明は、液晶表示装置及びその駆動方法に関し、より詳しくは液晶表示パネルの画面の大きさまたは解像度の少なくとも一方の変化に効果的に対応することができる液晶表示装置及びその駆動方法に関する。
【背景技術】
【０００２】
最近の半導体技術の急速な進歩によって、各種の電子機器の低電圧化及び低電力化とともに、小型化、薄型化及び軽量化が図られている。従って、新しい環境に適した電子表示装置として、平板パネル型表示装置に対する急激なニーズが存在する。この傾向に合わせて、液晶表示装置（Ｌｉｑｕｉｄ  Ｃｒｙｓｔａｌ  Ｄｉｓｐｌａｙ；ＬＣＤ）、プラズマ表示装置（Ｐｌａｓｍａ  Ｄｉｓｐｌａｙ  Ｐａｎｅｌ；ＰＤＰ）、有機ＥＬ表示装置（Ｏｒｇａｎｉｃ  Ｅｌｅｃｔｒｏ  Ｌｕｍｉｎｉｓｃｅｎｔ  Ｄｉｓｐｌａｙ；  ＯＥＬＤ）などのような平板パネル型表示装置が開発されている。このような平板パネル型表示装置の中で、小型化、軽量化及び薄型化が容易で、低い消費電力及び低い駆動電圧を持つ液晶表示装置が特に注目されている。
【０００３】
図１は、従来の液晶表示装置を説明するための図である。
【０００４】
図１に示すように、従来の液晶表示装置は、画像が表示される液晶表示パネル１１０と、この液晶表示パネル１１０を駆動するためのゲート駆動部１２０及びデータ駆動部１３０とが設けられている。
【０００５】
液晶表示パネル１１０は、所定の間隔で合着された前面基板及び背面基板と、前面基板と背面基板の間に形成される液晶層とで構成される。前面基板は、カラーフィルター基板である。画素領域を除いた部分の光を遮断するためのブラックマトリックス層と、カラー色相を表現するための赤色（Ｒｅｄ）、緑色（Ｇｒｅｅｎ）及び青色（Ｂｌｕｅ）のカラーフィルター層と、画像を具現するための共通電極とが前面基板に形成される。背面基板は、薄膜トランジスターアレイ基板である。複数のゲートライン１１１と、ゲートライン１１１と交差する方向に配列される複数のデータライン１１２と、ゲートライン１１１とデータライン１１２が互いに交差する各ピクセルに形成された複数の画素電極と、データライン１１２のパルスを各画素電極へ伝達する複数の薄膜トランジスター（Ｔｈｉｎ  Ｆｉｌｍ  Ｔｒａｎｓｉｓｔｏｒ；ＴＦＴ）とが背面基板に形成される。
【０００６】
ゲート駆動部１２０は、複数のゲートライン１１１へゲートパルスを順次に供給し、データ駆動部１３０は、複数のデータライン１１２へ各ピクセルに割り当てられた映像データ電圧を持つデータパルスを供給する。データパルスは、データライン１１２と、ゲートパルスによってターンオン（ｔｕｒｎ−ｏｎ）された薄膜トランジスターとを通じて各画素電極へ伝達される。画素電極と共通電極には異なる電位が印加され、液晶層の液晶物質の分子配列が変更される。変更された分子配列によって透明な液晶表示パネルを透過する光の量を調節することで画像が具現化される。
【０００７】
一方、液晶表示装置の活用範囲が広くなるに従って、多様な画面の大きさや、多様な解像度の液晶表示装置が要望される。しかしながら、画面の多様な大きさや解像度に従って液晶表示パネルに形成されるゲートライン１１１の数が変わり、対応するゲート駆動部のゲートチャンネル１２１の数が相異するようになる問題点が発生する。言い換えると、それぞれの液晶表示パネルによってゲート駆動部に形成されるゲートチャンネル１２１の数を異にするために設計時間及び製造単価が増加する問題点がある。
【発明の開示】
【発明が解決しようとする課題】
【０００８】
本発明の目的は、画面の大きさまたは解像度の少なくとも一方の変化に効果的に対応することができる液晶表示装置を提供することにある。
【０００９】
本発明の他の目的は、上述した液晶表示装置の駆動方法を提供することにある。
【００１０】
本発明が解決しようとする課題は上記で言及した技術的課題に制限されず、言及しなかった他の技術的課題は以下の記載から本発明が属する技術分野で通常の知識を持った者が明確に理解できる。
【課題を解決するための手段】
【００１１】
本発明に係る液晶表示装置は、複数のゲートラインを有する液晶表示パネルと、前記ゲートラインの数と異なる数のゲートチャンネルを有するゲート駆動部と、前記ゲート駆動部へ少なくとも１つのダミーシフトクロックを含むゲートシフトクロック信号を供給するタイミングコントローラーとが設けられ、前記ダミーシフトクロックは、前記ゲートシフトクロック信号の１周期または複数周期ごとに発生され、前記ダミーシフトクロックの幅は、前記ゲートシフトクロック信号の１つ分の幅より小さく、前記タイミングコントローラーは、前記ゲートラインへのゲートパルスの供給を停止するようにゲート出力イネーブル信号を前記ゲート駆動部へ供給している間に、前記ダミーシフトクロックを供給する。
【００１２】
本発明に係る液晶表示装置の駆動方法は、ゲートラインの数及びゲートチャンネルの数の差分を演算するステップと、前記差分に基づいて少なくとも１つのダミーシフトクロックを含むゲートシフトクロック信号を生成するステップと、前記ゲートシフトクロック信号に従って前記ゲートラインへゲートパルスを供給するステップとを含み、前記ダミーシフトクロックは、前記ゲートシフトクロック信号の１周期または複数周期ごとに発生され、前記ダミーシフトクロックの幅は、前記ゲートシフトクロック信号の１つ分の幅より小さく、前記ダミーシフトクロックの供給期間は、前記ゲートラインへの前記ゲートパルスの供給を停止するゲート出力イネーブル信号の供給期間内に含まれる。
【発明の効果】
【００１３】
本発明に係る液晶表示装置及びその駆動方法は、画面の大きさまたは解像度の少なくとも一方の変化に効果的に対応することができ、異なる数のゲートラインとゲートチャンネルを効率的に駆動することができる効果がある。
【発明を実施するための最良の形態】
【００１４】
本発明の利点及び特徴、そしてそれを達成する方法は添付される図面と共に詳細に説明されている実施の形態を参照すれば明確になる。明細書全体において、同一参照符号は同一構成要素を示す。
【００１５】
本発明に係る具体的な実施の形態について添付された図面を参照して説明する。
【００１６】
図２は、本発明の１つの実施の形態に係る液晶表示装置の構成を示す図である。
【００１７】
図２に示すように、この発明の１つの実施の形態に係る液晶表示装置は、複数のデータライン２１１と複数のゲートライン２１２が交差され、その交差部に薄膜トランジスターが形成された液晶表示パネル２１０と、この液晶表示パネル２１０のデータライン２１１にデータパルスを入力するためのデータ駆動部２２０と、液晶表示パネル２１０のゲートライン２１２にゲートパルスを入力するためのゲート駆動部２３０と、液晶表示パネル２１０に光を照射するためのバックライトユニット２４０と、このバックライトユニット２４０のランプを駆動させるためのランプ駆動部２５０と、液晶表示パネル２１０のデータ駆動部２２０、ゲート駆動部２３０及びランプ駆動部２５０を制御するためのタイミングコントローラー２６０と、液晶表示パネル２１０及びバックライトユニット２４０に必要な電源を供給する電源発生部２７０とが設けられている。
【００１８】
液晶表示パネル２１０は、前面基板と背面基板の間に液晶が注入される。液晶表示パネル２１０のデータライン２１１とゲートライン２１２の交差部に形成された薄膜トランジスター（ＴＦＴ）は、ゲート駆動部２３０からのゲートパルスに応答してデータライン２１１上のデータを液晶セルに入力する。薄膜トランジスターのソース電極はデータライン２１１に接続され、ドレーン電極は液晶セルの画素電極に接続される。そして、薄膜トランジスターのゲート電極はゲートライン２１２に接続される。
【００１９】
ここで、液晶表示パネル２１０は、使用用途と必要によって画面の大きさ又は解像度の少なくとも一方が多様に変更可能である。これにより、液晶表示パネル２１０によってゲートライン２１２の本数は変わる一方、ゲート駆動部２３０に対応するゲートチャンネルの個数は固定されている。従って、ゲートライン２１２の本数とゲートチャンネルの個数は一致しない。本発明の１つの実施の形態では、ゲートラインの本数と異なるゲートチャンネルの個数を持つゲート駆動部２３０は、タイミングコントローラー２６０からの制御信号が変更されることにより、制御されることができる。すなわち、液晶表示装置のハードウェアを変更することなしに、制御信号を利用してゲートラインとゲートチャンネルの数をマッチングさせることができる。
【００２０】
タイミングコントローラー２６０は、図示しないデジタルビデオカードから入力されるデジタルビデオデータを赤色（Ｒ）、緑色（Ｇ）及び青色（Ｂ）別に再調整する。タイミングコントローラー２６０によって再調整されたデータは、タイミングコントローラー２６０の内部に赤色、緑色及び青色データ別に貯蔵される。貯蔵された赤色、緑色及び青色データは、データ駆動部２２０に供給される。
【００２１】
また、タイミングコントローラー２６０は、入力される水平及び垂直同期信号（Ｈ、Ｖ）とメインクロック信号（ＭＣＬＫ）を使用してデータ制御信号（Ｄａｔａ  Ｃｏｎｔｒｏｌ  Ｓｉｇｎａｌ；ＤＣＳ）を発生させてデータ駆動部２２０に供給する。タイミングコントローラー２６０は、さらに、ゲート制御信号（Ｇａｔｅ  Ｃｏｎｔｒｏｌ  Ｓｉｇｎａｌ；ＧＣＳ）を発生させてゲート駆動部２３０に供給する。データ制御信号（ＤＣＳ）は、ドットクロック信号（Ｄｃｌｋ）、ソースシフトクロック信号（Ｓｏｕｒｃｅ  Ｓｈｉｆｔ  Ｃｌｏｃｋ  ｓｉｇｎａｌ；ＳＳＣ）、ソース出力イネーブル信号（Ｓｏｕｒｃｅ  Ｏｕｔ  Ｅｎａｂｌｅ  ｓｉｇｎａｌ；ＳＯＥ）及び極性反転信号（ＰＯＬ）を含み、データ駆動部２２０に供給される。ゲート制御信号（ＧＣＳ）は、ゲートシフトクロック信号（Ｇａｔｅ  Ｓｈｉｆｔ  Ｃｌｏｃｋ  ｓｉｇｎａｌ；ＧＳＣ）及びゲート出力イネーブル信号（Ｇａｔｅ  Ｏｕｔ  Ｅｎａｂｌｅ  ｓｉｇｎａｌ；ＧＯＥ）を含み、ゲート駆動部２３０に供給される。
【００２２】
タイミングコントローラー２６０は、ゲートシフトクロック信号（ＧＳＣ）に少なくとも１つのダミーシフトクロック（Ｄｕｍｍｙ  Ｓｈｉｆｔ  Ｃｌｏｃｋ；ＤＳＣ）を含ませる。
【００２３】
すなわち、水平期間ごとに（Ｈｏｒｉｚｏｎｔａｌ  Ｔｉｍｅ；１Ｈ）ゲートライン２１２へゲートパルスを順に供給するように、シフトすべきゲートライン２１２を制御するゲートシフトクロック信号にダミーシフトクロックを含ませる。従って、ダミーシフトクロックによって制御されるゲート駆動部２３０のゲートチャンネルは使用されない。これにより、次のゲートチャンネルに直ぐシフトされるによってゲートライン本数と使用さるゲートチャンネル個数を等しく合わせることができる。このことについては、図３〜図５を参照して後で詳細に説明する。
【００２４】
データ駆動部２２０は、タイミングコントローラー２６０からのデータ制御信号（ＤＣＳ）によってデータをサンプリングした後に、サンプリングされたデータを水平期間ごとに１ライン分ずつラッチして、ラッチされたデータをデータライン２１１に供給する。また、データ駆動部２２０は、タイミングコントローラー２６０から供給されるデジタル画素データ（Ｒ、Ｇ、Ｂ）を、電源発生部２７０から印加されるガンマ電圧（ＧＭＡ１〜６）を利用してアナログ画素信号へ変換してデータライン２１１に供給する。
【００２５】
ゲート駆動部２３０は、タイミングコントローラー２６０から供給されるゲート制御信号（ＧＣＳ）に応答してゲートパルスを順に発生するシフトレジスターと、ゲートパルスの電圧を、液晶セルの駆動に適した電圧レベルへシフトするレベルシフターを含む。また、ゲート駆動部２３０は、ゲート制御信号（ＧＣＳ）に応答してゲートライン２１２へゲート高電圧を順に供給する。
【００２６】
バックライトユニット２４０は、液晶表示パネル２１０に光を照射するための図示しないランプと、このランプを駆動させるランプインバーターを含む。このランプは、ランプインバーターからの駆動電圧を使用して光を発生する。ランプインバーターは、電源発生部２７０からのランプ駆動電圧（Ｖｉｎｖ）を使用してランプを駆動する。電源発生部２７０は、液晶表示パネル２１０へ共通電極電圧（Ｖｃｏｍ）、データ駆動部２２０へガンマ電圧（ＧＭＡ１〜６）、ランプインバーターへランプ駆動電圧（Ｖｉｎｖ）を供給する。
【００２７】
図３は、本発明の１つの実施の形態に係る液晶表示装置のタイミングコントローラーの動作を説明するためのタイミングチャートである。
【００２８】
図３に示すように、タイミングコントローラー２６０は、ゲートシフトクロック信号（ＧＳＣ）及びゲート出力イネーブル信号（ＧＯＥ）を含むゲート制御信号（ＧＣＳ）を発生して、ゲート駆動部２３０へ供給する。ここで、ゲート出力（Ｇ−Ｏｕｔ）は、ゲートシフトクロック信号（ＧＳＣ）及びゲート出力イネーブル信号（ＧＯＥ）によって実質的に選択されるゲートチャンネルとゲートチャンネルを通じて出力されるゲートパルスの期間を示す。
【００２９】
ゲートシフトクロック信号（ＧＳＣ）は、１つのハイ信号（ｈｉｇｈ）が発生されてから、次のハイ信号が発生される時までの期間をゲートシフトクロックの１周期とする。１周期のゲートシフトクロック信号は、１つの水平期間（１Ｈ）を設定し、１つの水平期間が終わる度に１つのゲートチャンネルをシフトする。この時、ゲートシフトクロック信号（ＧＳＣ）は、少なくとも１つのダミーシフトクロック（ＤＳＣ）を含む。
【００３０】
ゲート出力イネーブル信号（ＧＯＥ）は、ゲート駆動部２３０から出力されるゲートパルスの幅を調節するための信号である。すなわち、ゲート駆動部２３０がゲートシフトクロック信号（ＧＳＣ）に同期してゲートパルスを水平期間ごとに１つのゲートライン２１２へ供給する時、ゲート駆動部２３０は、ハイレベル（ｈｉｇｈ）のゲート出力イネーブル信号（ＧＯＥ）が印加されている間、ゲートパルスをゲートライン２１２に供給することを停止することで、各ゲートライン２１２に供給されるゲートパルスの重畳を防止する。
【００３１】
ここで、ゲートライン２１２の本数とゲートチャンネルの個数が異なる場合、本発明の１つの実施の形態では、ゲートライン２１２より個数が多いゲートチャンネルを持つゲート駆動部２３０を使用するのが望ましい。これはゲートライン２１２を駆動することができるゲートチャンネルが不足している場合、ゲートチャンネルに接続されていないゲートライン２１２を全く駆動することができないからである。このような点を考慮して、ゲートチャンネルの個数がゲートラインの本数より多いゲート駆動部２３０が使用される。ゲートライン２１２に接続されたゲートチャンネルは使用すべく制御され、ゲートライン２１２に接続されていないゲートチャンネルは使用されないように制御される。
【００３２】
これによって、タイミングコントローラー２６０は、実際に使用されるゲートチャンネルを駆動するように１周期のゲートシフトクロック信号（ＧＳＣ）を発生する。また、タイミングコントローラー２６０は、使用されないゲートチャンネルを駆動するようにダミーシフトクロック（ＤＳＣ）を選択的に発生できる。換言すると、ゲートシフトクロック信号（ＧＳＣ）間にゲートシフトクロック信号（ＧＳＣ）より幅の狭いダミーシフトクロック（ＤＳＣ）が選択的に挿入させられてゲート駆動部２３０に供給される。このダミーシフトクロック（ＤＳＣ）に対応するゲートチャンネルにはゲートパルスが出力されない。この時、ダミーシフトクロック（ＤＳＣ）の個数は、使用されないゲートチャンネルの個数、すなわちゲートラインの本数とゲートチャンネルの個数の差分と等しくなる。
【００３３】
また、ゲートラインをシフトするようにゲートラインへのゲートパルスの供給は停止しなければならないので、ダミーシフトクロック（ＤＳＣ）は、１つのゲート出力イネーブル信号（ＧＯＥ）がハイレベル（ｈｉｇｈ）の期間の間に発生させることが望ましい。
【００３４】
また、本発明の１つの実施の形態では、不使用のゲートチャンネルに従い任意のゲートシフトクロック（ＧＳＣ）周期ごとにダミーシフトクロック（ＤＳＣ）を発生させることができる。例えば、１周期または複数周期ごとに規則的にダミーシフトクロック（ＤＳＣ）を発生させることが可能であり、不規則的にダミーシフトクロック（ＤＳＣ）を発生させることもできる。
【００３５】
このようなタイミングコントローラー２６０の動作について、図３を参照しながら詳細に説明する。先ず、第４ゲートチャンネルが使用されないと仮定した時、第１ゲートシフトクロック信号（第１ＧＳＣ）、第２ゲートシフトクロック信号（第２ＧＳＣ）及び第３ゲートシフトクロック信号（第３ＧＳＣ）が順に供給される。その後、第１ダミーシフトクロック（第１ＤＳＣ）が供給され、これに続いて第５ゲートシフトクロック信号（第５ＧＳＣ）が供給される。同時に、各ゲートシフトクロック信号（ＧＳＣ）の周期の終わりでもあり、始まりでもある時点の前後で所定の期間の間に、ハイレベル（ｈｉｇｈ）のゲート出力イネーブル信号（ＧＯＥ）が供給され、ゲート駆動部２３０へのゲートパルスの供給を停止する。この時、前記所定の期間には第１ダミーシフトクロック（第１ＤＳＣ）を供給する期間が含まれるようにする。ゲート出力（Ｇ−Ｏｕｔ）では、それぞれの水平期間（１Ｈ）で第１ゲートチャンネルがターンオンされ（Ｃｈ１−ｏｎ）、第２ゲートチャンネルがターンオンされ（Ｃｈ２−ｏｎ）、第３ゲートチャンネルがターンオンされ（Ｃｈ３−ｏｎ）、第５ゲートチャンネルがターンオンされる（Ｃｈ５−ｏｎ）。
【００３６】
図４は、本発明の１つの実施の形態に係る液晶表示装置の駆動方法を説明するための図である。
【００３７】
図４に示すように、ゲートチャンネル４１０が２００個であり、ゲートライン４２０が１５０本である場合、５０（＝２００−１５０）個のゲートチャンネルが使用されない。つまり、２００個のゲートチャンネルを４個毎に１つに束ねて５０束にし、４個のゲートチャンネルの４番目を使用しないようにし、合計で５０（＝２００÷４）個のゲートチャンネルが使用されない。すなわち、４個１束のゲートチャンネルにおいて、４番目のゲートチャンネル４１０はゲートライン４２０に接続されない。ゲート駆動部４３０には、３個の連続するゲートシフトクロック信号（ＧＳＣ）が供給された後、１つのダミーシフトクロック（ＤＳＣ）が供給される。言い換えると、４個のゲートチャンネルの内の１つに仮想の信号が供給されて１つのゲートチャンネルが強制的にシフトされた後、ゲートラインに必要なゲートパルスが供給される。
【００３８】
このために、本発明の１つの実施の形態に係る液晶表示装置の駆動方法は、ゲートラインの本数とゲートチャンネルの個数の差分を演算するステップと、差分に基づいて少なくとも１つのダミーシフトクロック（ＤＳＣ）を含むゲートシフトクロック信号（ＧＳＣ）を生成するステップと、ゲートシフトクロック信号（ＧＳＣ）に従ってゲートラインへゲートパルスを供給するステップとを含む。本発明の１つの実施の形態に係る液晶表示装置の駆動方法についての詳細な説明は、図２及び図３を参照してあらかじめ説明した本発明の１つの実施の形態による液晶表示装置の動作の説明と同様であるので省略する。
【００３９】
上述したように、タイミング制御信号を変更することで、ハードウェア構成を変更しなくても、異なる数のゲートラインとゲートチャンネルを持つ液晶表示装置を駆動することができる。また、液晶表示パネルの画面の大きさまたは解像度の少なくとも一方の変化に対応して液晶表示装置を効率的に駆動することができる。
【００４０】
図５は、本発明の他の実施の形態に係る液晶表示装置の駆動方法を説明するための図である。
【００４１】
図５に示すように、ゲートチャンネル５１０が２００個であり、ゲートライン５２０が１５９本である場合、４１（＝２００−１５９）個のゲートチャンネルが使用されない。本発明の他の実施の形態では、ゲート駆動部５３０のゲートチャンネル５１０にダミーシフトクロック（ＤＳＣ）を割り当てする方法を様々に変化させることができる。例えば、１つ以上のゲートシフトクロック信号（ＧＳＣ）周期において、ダミーシフトクロック（ＤＳＣ）を規則的に含ませて、ゲートチャンネル５１０に規則的にダミーシフトクロック（ＤＳＣ）を割り当てることができる。また、１つ以上のゲートシフトクロック信号（ＧＳＣ）周期において、ダミーシフトクロック（ＤＳＣ）を不規則的に含ませて、不規則的に割り当てることも可能である。また、時間マージンが十分ならば、ダミーシフトクロック（ＤＳＣ）を連続して含ませることができる。
【００４２】
ここで、ダミーシフトクロック（ＤＳＣ）の数は、ゲートラインの本数とゲートチャンネルの個数の差分と等しくなければならならず、ダミーシフトクロック（ＤＳＣ）の幅は、１つのゲートシフトクロック信号（ＧＳＣ）の幅より小さくなければならない。また、ダミーシフトクロック（ＤＳＣ）の供給期間は、ゲートラインへのゲートパルスの供給を停止するゲート出力イネーブル信号の供給期間内に含まれなければならない。
【図面の簡単な説明】
【００４３】
【図１】従来の液晶表示装置を説明するための図である。
【図２】本発明の１つの実施の形態に係る液晶表示装置の構成を示す図である。
【図３】本発明の１つの実施の形態に係る液晶表示装置のタイミングコントローラーの動作を説明するためのタイミングチャートである。
【図４】本発明の１つの実施の形態に係る液晶表示装置の駆動方法を説明するための図である。
【図５】本発明の他の実施の形態に係る液晶表示装置の駆動方法を説明するための図である。
【符号の説明】
【００４４】
２１０  液晶表示パネル、２１１  データライン、２１２  ゲートライン、２２０  データ駆動部、２３０  ゲート駆動部、２４０  バックライトユニット、２５０  ランプ駆動部、２６０  タイミングコントローラー、２７０  電源発生部、４１０  ゲートチャンネル、４２０  ゲートライン、４３０  ゲート駆動部、５１０  ゲートチャンネル、５２０  ゲートライン、５３０  ゲート駆動部。
【図１】
0004653021.tif 000002
【図２】
0004653021.tif 000003
【図３】
0004653021.tif 000004
【図４】
0004653021.tif 000005
【図５】
0004653021.tif 000006